(57)【要約】  先行して記録されたメディア・コンテンツ部分を選択的に操作する（例えば、再生する）ための編集操作リストを作成する方法、装置及びシステムを提供する。本発明の一実施例では、先行して記録されたメディア・コンテンツ部分を選択的に再生するための編集再生リストの作成は、選択的な再生ができ、望ましく、先行して記録されたメディア・コンテンツ内のメディア・セグメントを識別することによって、先行して記録されたメディア・コンテンツにおけるキー・イベントを定める工程と、識別されたメディア・セグメントの選択的な再生を可能にする工程とを含む。本発明の実施例では、再生する対象の、識別されたメディア・セグメントをユーザが選択することを可能にするためのユーザ・インタフェースを提供する。
2008537439.tif 000002
【特許請求の範囲】
【請求項１】
先行して記録されたメディア・コンテンツの編集操作リストを作成する方法であって、前記先行して記録されたメディア・コンテンツ内のメディア・セグメントを、操作するために識別することによって、前記先行して記録されたメディア・コンテンツにおけるイベントを定める工程と、
前記識別されたメディア・セグメントの選択的な操作を可能にする工程とを備える方法。
【請求項２】
請求項１記載の方法であって、前記先行して記録されたメディア・コンテンツにおけるメディア・セグメントが、前記先行して記録されたメディア・コンテンツを再生し、前記先行して記録されたメディア・コンテンツにおける前記メディア・コンテンツの場所をマーキングすることによって識別される方法。
【請求項３】
請求項１記載の方法であって、前記先行して記録されたメディア・コンテンツにおけるメディア・セグメントが、前記先行して記録されたメディア・コンテンツにおける前記メディア・セグメントの少なくとも前記場所を識別するリストから識別される方法。
【請求項４】
請求項１記載の方法であって、前記先行して記録されたメディア・コンテンツにおけるメディア・セグメントは、前記先行して記録されたメディア・コンテンツのソースから受信された前記先行して記録されたメディア・コンテンツに関する情報から識別される方法。
【請求項５】
請求項４記載の方法であって、前記先行して記録されたメディア・コンテンツにおけるメディア・セグメントに関する前記情報が、電子メディア・ソースから取り出される方法。
【請求項６】
請求項１記載の方法であって、前記先行して記録されたメディア・コンテンツにおける前記メディア・セグメントを識別するために記憶された情報が、前記先行して記録されたメディア・コンテンツを将来、受信すると、前記先行して記録されたメディア・コンテンツと再び関連付けられるように、前記先行して記録されたメディア・コンテンツの識別子を記憶する工程を備える方法。
【請求項７】
請求項１記載の方法であって、前記可能にする工程は、操作する対象の前記識別されたメディア・セグメントを選択する手段を提供する工程を備える方法。
【請求項８】
請求項１の方法であって、前記編集操作リストは編集再生リストを備え、前記操作は、前記識別されたメディア・セグメントのうちの選択されたメディア・セグメントを再生する工程を備える方法。
【請求項９】
請求項１記載の方法であって、前記識別されたメディア・セグメントそれぞれが、個別の一意のラベルによって識別される方法。
【請求項１０】
請求項９記載の方法であって、前記それぞれの一意のラベルのうちの特定のラベルが、前記識別されたメディア・セグメントのうちの特定のメディア・セグメントのユーザ選択を誘うよう編集される方法。
【請求項１１】
請求項１記載の方法であって、メディア・セグメントを識別する工程が編集リスト・スクリプトを規定する方法。
【請求項１２】
請求項１記載の方法であって、操作に選択されるメディア・セグメントが、前記編集操作リストを備える方法。
【請求項１３】
請求項１２記載の方法であって、前記編集操作リストが遠隔に定められ、局所に施される方法。
【請求項１４】
請求項１２記載の方法であって、前記編集操作リストが局所に定められ、遠隔に施される方法。
【請求項１５】
請求項１記載の方法であって、選択的操作に利用可能な前記識別されたメディア・セグメントを規定するための制御情報を供給する工程を更に備える方法。
【請求項１６】
請求項１５記載の方法であって、前記制御情報は、前記編集操作リストに含めなければならない前記識別されたセグメントのうちの特定のセグメントを規定する方法。
【請求項１７】
請求項１記載の方法であって、前記先行して記録されたメディア・コンテンツは、単一ソース又は複数ソースからの複数のメディア・コンテンツを備える方法。
【請求項１８】
請求項１７記載の方法であって、前記複数のメディア・コンテンツの何れかからの識別されたメディア・セグメントは、選択的操作のために合成することが可能である方法。
【請求項１９】
情報及びプログラム命令を記憶するメモリ、及び前記命令を実行するプロセッサを備える、先行して記録されたメディア・コンテンツの編集操作リストを作成する装置であって、
前記先行して記録されたメディア・コンテンツ内のメディア・セグメントを、操作するために識別する機能と、
前記識別されたメディア・セグメントの選択的な操作を可能にする機能とを行うよう適合させた装置。
【請求項２０】
請求項１９記載の装置であって、ユーザが前記メディア・セグメントを識別することを可能にするユーザ・インタフェースを備える装置。
【請求項２１】
請求項２０記載の装置であって、前記識別されたメディア・セグメント毎のそれぞれの一意のラベルが前記装置を用いて判定され、前記装置に記憶される装置。
【請求項２２】
請求項１９記載の装置であって、前記メディア・セグメントは、前記装置によって受信され、記憶された情報を用いて識別される装置。
【請求項２３】
請求項２２記載の装置であって、前記受信情報は、前記識別されたメディア・セグメント毎にそれぞれの一意のラベルを備える装置。
【請求項２４】
請求項２２記載の装置であって、前記受信情報は、選択的操作に利用可能な前記識別されたメディア・セグメントを規定するための制御情報を備える装置。
【請求項２５】
請求項１９記載の装置であって、選択的に操作する対象の前記識別されたメディア・セグメントをユーザが規定することを可能にするユーザ・インタフェースを備える装置。
【請求項２６】
請求項１９記載の装置であって、選択的に操作する対象の前記識別されたメディア・セグメントを定めるためのユーザ・インタフェース及びディスプレイを備える装置。
【請求項２７】
先行して記録されたメディア・コンテンツの編集操作リストを作成するシステムであって、
メディア・コンテンツを供給するメディア・コンテンツ・ソースと、
前記メディア・コンテンツを受信し、記録するメディア・コンテンツ受信器と、
少なくとも、情報及びプログラム命令を記憶するメモリ、並びに前記命令を実行するプロセッサを含む、前記メディア・コンテンツ受信器と通信する制御装置とを備え、前記制御装置は、
前記先行して記録されたメディア・コンテンツ内のメディア・セグメントを、操作するために識別する機能、及び
前記識別されたメディア・セグメントの選択的な操作を可能にする機能とを行うよう適合させたシステム。
【請求項２８】
請求項２７記載のシステムであって、前記制御装置が前記メディア・コンテンツ受信器に一体化されたシステム。
【請求項２９】
請求項２７記載のシステムであって、前記メディア・コンテンツ受信器がディジタル・レコーダを備えるシステム。
【請求項３０】
請求項２９記載のシステムであって、前記ディジタル・レコーダがディジタル・ビデオ・レコーダを備えるシステム。
【請求項３１】
請求項２７記載のシステムであって、メディア・セグメントを識別する機能が編集リスト・スクリプトを規定するシステム。
【請求項３２】
請求項２７記載のシステムであって、操作に選択されるメディア・セグメントが、前記編集操作リストを備えるシステム。
【請求項３３】
請求項３２記載のシステムであって、前記操作に選択されるメディア・セグメントを規定するために、前記編集操作リストが前記メディア・コンテンツ・ソースによって定められ、前記制御装置に通信されるシステム。
【請求項３４】
請求項３２記載のシステムであって、前記メディア・コンテンツ受信器に通信される対象の前記メディア・セグメントを規定するために、前記編集操作リストが前記制御装置によって定められ、前記メディア・コンテンツ・ソースに通信されるシステム。
【請求項３５】
請求項２７記載のシステムであって、選択的な操作に利用可能な前記識別されたメディア・セグメントを規定するために、前記メディア・コンテンツ・ソースが制御情報を前記制御装置に通信するシステム。
【請求項３６】
請求項２７記載のシステムであって、前記識別されたメディア・セグメントそれぞれが、個別の一意のラベルによって識別されるシステム。
【請求項３７】
請求項３６記載のシステムであって、前記識別されたメディア・セグメントのうちの特定のメディア・セグメントのユーザ選択を誘うために、目立つよう編集されるそれぞれの一意のラベルを規定するための情報を前記制御装置に通信するシステム。
【請求項３８】
請求項２７記載のシステムであって、前記制御装置は、選択的に操作する対象の前記識別されたメディア・セグメントを判定するためのユーザ・インタフェース及びディスプレイを備えるシステム。
【請求項３９】
請求項２７記載のシステムであって、前記選択されたメディア・セグメントを表示する表示装置を更に備えるシステム。
【請求項４０】
請求項２７記載のシステムであって、追跡情報を供給するための操作に選択された前記メディア・セグメントに関する情報が記憶されるシステム。
【発明の詳細な説明】
【技術分野】
【０００１】
本発明は、メディア・システムに関し、特に、先行して記録されたメディア・コンテンツ部分を選択的に操作するための編集リスト・スクリプト及び編集操作リストの作成に関する。
【背景技術】
【０００２】
ディジタル・メディア・システム（ビデオ記録装置やビデオ再生装置など）の登場によって、消費者は今日では、再生されているビデオを手作業で制御する能力を有する。しかし、前述の現行ディジタル・メディア・システムでは、再生制御は非常に基礎的な段階にある。例えば、ビデオ・プレゼンテーションの一部を、ユーザ対話型制御（リモコンなど）によってスキップ、減速、早送り、巻き戻し等を行うことができる。前述の制御は、リアルタイムの改変に限定される。ユーザは、メディア・コンテンツ部分の再生、又はメディア・コンテンツ部分へのランダムにラベリングされたアクセスに対する複雑な変更を行うことができない。
【発明の開示】
【発明が解決しようとする課題】
【０００３】
本発明は、先行して記録されたメディア・コンテンツ部分を選択的に操作するための編集操作リスト（ＥＭＬ）を作成する方法、装置及びシステムを提供することによって従来技術の欠点を解決する。
【課題を解決するための手段】
【０００４】
本発明の一実施例では、先行して記録されたメディア・コンテンツの編集操作リストを作成する方法は、選択的に操作される（例えば、再生される、再記録される、表示されるよう構成される、編集される等）ことができる先行して記録されたメディア・コンテンツ内のメディア・セグメントを識別することによって、先行して記録されたメディア・コンテンツにおけるキー・イベントを定める工程、及び識別されたメディア・セグメントの選択的な操作を可能にする工程を含む。本発明の方法の一実施例では、先行して記録されたメディア・コンテンツにおけるメディア・セグメントは、先行して記録されたメディア・コンテンツを再生し、先行して記録されたメディア・コンテンツにおけるメディア・セグメントの場所をマーキングすることによって識別される。あるいは、先行して記録されたメディア・コンテンツにおけるメディア・セグメントは、先行して記録されたメディア・コンテンツのプロバイダから受け取られた先行して記録されたメディア・コンテンツに関する情報から識別される。
【０００５】
本発明の別の実施例では、先行して記録されたメディア・コンテンツの編集操作リストを作成する装置は、情報及びプログラム命令を記憶するメモリ、並びに命令を実行するプロセッサを含み、上記装置は、選択的に操作されることができる先行して記録されたメディア・コンテンツ内のメディア・セグメントを識別する工程、及び識別されたメディア・セグメントの選択的な操作を可能にする工程を行うよう適合させている。本発明の種々の実施例では、装置は、ディジタル・ビデオ・レコーダ（ＤＶＲ）などのメディア・コンテンツ受信器／再生装置に一体化される。ＤＶＲは、ソースからのメディア・コンテンツを記録するために用いる。本発明の種々の実施例では、装置は、識別されたメディア・セグメントのどれを選択的に操作することとするかをユーザが判定することを可能にするユーザ・インタフェースを含む。
【０００６】
本発明の別の実施例では、先行して記録されたメディア・コンテンツの編集操作リストを作成するシステムは、メディア・コンテンツを供給するメディア・コンテンツ・ソースと、メディア・コンテンツを受信し、記録するメディア・コンテンツ受信器と、情報及びプログラム命令を記憶するメモリ並びに命令を実行するプロセッサを少なくとも含む、メディア・コンテンツ受信器と通信する制御装置とを含む。制御装置は、選択的に操作されることができる先行して記録されたメディア・コンテンツ内のメディア・セグメントを識別する工程、及び識別されたメディア・セグメントの選択的な操作を可能にする工程を行うよう適合させる。本発明の一実施例では、メディア・コンテンツ受信器はディジタル・ビデオ・レコーダ（ＤＶＲ）であり、制御装置はＤＶＲに一体化される。
【発明を実施するための最良の形態】
【０００７】
本発明の教示は、以下の詳細な説明を添付図面とともに検討することによって容易に理解することが可能である。
【０００８】
理解を容易にするために、可能な限り、同一の参照符号を用いて、添付図面に共通した同一の構成要素を表している。
【実施例】
【０００９】
本発明は効果的には、先行して記録されたメディア・コンテンツ部分を選択的に操作する（例えば、再生する）ための編集リスト・スクリプトを作成する方法、装置及びシステムを提供する。本明細書及び特許請求の範囲記載の教示を通して、かつ、本発明の種々の実施例において、本発明の局面は、ディジタル・ビデオ・レコーダ／セットトップボックス、並びに、先行して記録されたオーディオ及びビデオのコンテンツ部分の再生に関して説明しているが、本発明の特定の実施例は、本発明の範囲を限定するものとして扱うべきでない。メディア・コンテンツを操作する（例えば、再記録する、再生する、表示するよう構成する、編集する等）ことができる実質的に何れのディジタル装置（ＤＶＤプレイヤ、ディジタル・ビデオ・レコーダ（ＤＶＲ）や、ビデオオンデマンド（ＶＯＤ）レコーダなど）においても本発明の概念を効果的に施すことが可能であることを当業者は認識し、本発明の教示によって情報を与えられるであろう。更に、上記概念は、非時間的アプリケーション（空間又はコンテンツ編集リストの供給など（新聞又は雑誌の編集用など））に適用することが可能である。
【００１０】
図１は、本発明の一実施例による編集リスト・スクリプト（ＥＬＳ）制御装置１１０を含むメディア・コンテンツ・ブロードキャスト・システムの概要レベルのブロック図を表す。特に、図１は、メディア・コンテンツ・ソース（プロバイダ）１２０と、ブロードキャスト装置（例えば、ブロードキャスト・タワー、衛星等）１３０と、本発明の実施例によるＥＬＳ制御装置１１０を有するメディア・コンテンツ受信器（図では、ディジタル・ビデオ・レコーダ（ＤＶＲ）セットトップボックス）１４０と、出力装置（図では、テレビ受像機）１５０とを含むメディア・コンテンツ・ブロードキャスト・システム１００を表す。図１のメディア・コンテンツ・ブロードキャスト・システム１００は、例えば、先行して記録されたメディア・コンテンツの少なくとも一部分を選択的に操作し（例えば、再生し、表示し、再記録し、構成し、編集し、等）、そういうものとして、編集再生リストなどの編集操作リスト（ＥＭＬ）を作成することができるＤＶＲセットトップボックス１４０をユーザに提供するために本発明の編集リスト・スクリプト（ＥＬＳ）を実現する。ユーザによって判定された編集操作リストが次いで実行される。例えば、判定された編集再生リストのメディア・セグメントが次いで、ＤＶＲセットトップボックス１４０を用いて再生される。編集操作リストにおける選択されたメディア・セグメントを、特定の配置順序での再記録、又は選択されたメディア・セグメントの編集及びその他の同様な操作のためにユーザによって選択することも可能である。図１のメディア・コンテンツ・ブロードキャスト・システム１００において、メディア・コンテンツ・ソース１２０を遠隔メディア・コンテンツ・ソース１２０として表しているが、本発明の別の実施例では、メディア・コンテンツ・ソースは、局所メディア・コンテンツ・ソース（ＤＶＤやＤＶＤプレイヤなど）、コンパクト・ディスク（ＣＤ）又はＣＤプレイヤ、ディジタル・ビデオ・レコーダ（ＤＶＲ）、レーザ・ディスク・プレイヤやその他の適切なメディア・コンテンツ受信器又はプレイヤ等を備え得る。更に、図１のメディア・コンテンツ・システム１００の出力装置は、実質的に何れの出力装置（ビデオ及びオーディオ情報を出力するディスプレイ装置、オーディオを出力するスピーカ・システム等など）をも備えることが可能である。図１のメディア・コンテンツ・ブロードキャスト・システム１００において本発明の制御装置１１０をメディア・コンテンツ受信器１４０の一体化された部分として表しているが、本発明の別の実施例では、本発明の制御装置はスタンドアロン装置を備え得る。
【００１１】
図１のメディア・コンテンツ・ブロードキャスト・システム１００では、メディア・コンテンツ・ソース１２０からのメディア・コンテンツが、ＥＬＳ制御装置１１０を備えるＤＶＲセットトップボックス１４０によって受信され、記録される。図２は、図１のメディア・コンテンツ・ブロードキャスト・システム１００のＤＶＲセットトップボックス１４０において用いるのに適したＥＬＳ制御装置１１０の実施例の概要レベルのブロック図を表す。特に、図２のＥＬＳ制御装置１１０は例証的には、プロセッサ２１０、並びに、制御プログラム、アルゴリズム、記憶されたメディア等を記憶するメモリ２２０を備える。プロセッサ２１０は、通常のサポート回路２３０（電源、クロック回路、キャッシュ・メモリ等、並びに、メモリ２２０に記憶されたソフトウェア・ルーチンの実行を支援する回路）と協調する。そういうものとして、本明細書及び特許請求の範囲にソフトウェア処理として記載された処理工程の一部は、ハードウェア内で（例えば、プロセッサ２１０と協調して種々の工程を行う回路として）実現することができる。ＥＬＳ制御装置１１０は、ＥＬＳ制御装置１１０と通信する種々の機能エレメント間のインタフェースを構成する入出力回路２４０も含む。
【００１２】
図２のＥＬＳ制御装置は、本発明によって種々の制御機能を行うようプログラムされた汎用コンピュータとして表しているが、本発明は、ハードウェアにおいて（例えば、特定用途向集積回路（ＡＳＩＣ）として）実現することが可能である。そういうものとして、本明細書及び特許請求の範囲記載の処理工程は、ソフトウェア、ハードウェア、又はそれらの組み合わせによって同等に行われるものとして広く解釈されることを意図している。
【００１３】
本発明によれば、編集リスト・スクリプト（ＥＬＳ）は、先行して記録されたメディア・コンテンツの選択的な操作（例えば、再生、再記録、表示等）を容易にするために規定される。例えば、図３は、本発明の一実施例による、編集リスト・スクリプト（ＥＬＳ）の概念の概要レベルのブロック図を表す。図３に表すように、時間線形メディア・コンテンツが解析され、セグメント（例えば、オーディオ／ビデオ・セグメント）の切点が生成される。メディア・コンテンツ・セグメントを次いで、選択的に操作することが可能である。例えば、メディア・コンテンツ・セグメントは、選択的に併せて「スプライシングして」、異なる再生系列を作成することが可能であるか、又は、セグメントの個々の再生の直接ランダム・アクセスを容易にするよう索引化することが可能である。本発明の少なくとも一実施例によるＥＬＳは、元のコンテンツ内の前述のセグメントが存在する場所についての命令を与える一連の宣言コマンドである。本発明の少なくとも一実施例による編集操作リストは、操作する対象の個々のメディア・コンテンツ・セグメントのリストである。
【００１４】
特に、図４は、本発明の一実施例による、単純な宣言ＥＬＳの例を表す。図４の方法は、各セグメントに関する索引化及びプレゼンテーションを容易にする情報を備える。例えば、図４のＥＬＳは、先行して記録されたアメフトの試合の複数セグメントを備える。図４に表すように、メディア・コンテンツには、コンテンツＩＤ番号Ａ２３４５５、及びコンテンツ・ラベル「アメフト：コルツ対レーベンズ」を与えてメディア・コンテンツを識別し、索引化する。メディア・コンテンツのセグメントは、個別の「編集記述」によって更に識別される。すなわち、「編集記述」ラベルは、ユーザによって容易に識別可能な要約ガイドを提供するために実行可能なテキスト及び／又はグラフィックスを提供する（例えば、「コルツの最初の得点」、「レーベンズの最初の得点」、「コルツ１４、レーベンズ７」、「コルツ１７、レーベンズ７」及び「試合結果」）。図４のセグメントは、編集開始オフセット及び編集終了オフセットによって更に識別される。開始オフセット及び終了オフセットは、時間切点を元のメディア・コンテンツと区切る。
【００１５】
本発明の一実施例では、ＥＬＳは、メディア・コンテンツ受信器、及び含まれたＥＬＳ制御装置を用いて作成される。例えば、図１のメディア・コンテンツ・システム１００では、ＤＶＲセットボックス１４０は、遠隔メディア・コンテンツ・ソース１２０からのメディア・コンテンツ（例えば、オーディオ／ビデオ・コンテンツ）を受信し、記録する。メディア・コンテンツ・ソース１２０からのオーディオ／ビデオ・コンテンツは例えば、ＤＶＲセットトップボックス１４０におけるハードウェア・ドライブ・ディスク上又はＤＶＤ上に記録される。本発明の種々の実施例では、ＤＶＲセットトップボックス１４０は、ユーザ入力インタフェース（図示せず）を含む。ＤＶＲセットトップボックス１４０のユーザ入力インタフェースは、ユーザに制御機能を与える無線リモコン、ポインティング・デバイス（マウスやトラックボールなど）、音声認識システム、タッチ画面、オンスクリーンメニュー、ボタン等を含み得る。本発明の前述の実施例では、ユーザは、ＤＶＲセットトップボックス１４０を用いて、記録されたメディア・コンテンツを再生し、ＤＶＲセットトップボックス１４０のユーザ入力インタフェースを用いて、メディア・コンテンツにおける所望のメディア・セグメントの場所を識別する。すなわち、ＤＶＲセットトップボックス１４０のユーザ入力インタフェースを用いて、ユーザは、本発明による編集リスト・スクリプト（ＥＬＳ）を規定することができる。
【００１６】
例えば、本発明の一実施例では、ユーザは、ＤＶＲセットトップボックス１４０のユーザ入力インタフェースを用いて、ＥＬＳに記載する対象のメディア・コンテンツのセグメントの場所及び持続期間を識別するためのメディア・コンテンツの時間マークをＥＬＳ制御装置１１０においてマーキングし、記憶する。先行して記録されたメディア・コンテンツ全体を、前述のメディア・コンテンツの所望であり、かつ分離可能な何れかのセグメントを識別するためにユーザによって再生することが可能である。
【００１７】
本発明の一実施例では、ユーザは、例えば、ＥＬＳ制御装置１１０のメモリ内のＥＬＳにおいて規定し、記録する対象の種々のメディア・セグメントの開始時間及び終了時間（例えば、編集開始オフセット及び編集終了オフセット）を入力することによって、前述の時間マークを入力し、規定する。あるいは、ＤＶＲセットトップボックス１４０のユーザ入力インタフェースは、ＤＶＲセットトップボックス１４０のユーザ入力インタフェースのボタンを押し下げてメディア・セグメントの開始を示すことによって、かつ、前述のボタン又はあるいは第２のボタンを押し下げて、規定されるメディア・セグメント終了を示すことによって、本発明によるＥＬＳとして規定され、保存される対象の種々のメディア・セグメントを識別するよう実現される。前述の実施例は、規定されたメディア・セグメントそれぞれの開始位置及び終了位置はその場合、ＥＬＳ制御装置１１０のメモリに記録され、作成される特定のＥＬＳリストに関連付けられる。本発明の前述の訓練（すなわち、メディア・セグメントの規定）中、ユーザは、先行して記録されたメディア・コンテンツの停止、一時停止、巻き戻し、及び／早送りを行って本発明のＥＬＳにおける所望のメディア・コンテンツ・セグメントを規定することが可能である。
【００１８】
先行して記録されたメディア・コンテンツのＥＬＳにおけるメディア・コンテンツ・セグメントの場所の規定及び記録に加えて、元のメディア・コンテンツ、及び関連した規定メディア・セグメントも識別される。特に、先行して記録されたメディア・コンテンツの識別子（タイトルなど）が、メディア・コンテンツをＥＬＳ制御装置１１０がもう一度受信した（すなわち、同じメディア・コンテンツがＤＶＲセットトップボックス１４０によってもう一度再生された）場合に、特定のメディア・コンテンツをＥＬＳ制御装置１１０が識別することができるようにＥＬＳ制御装置１１０に記憶される。先行して記録された特定のメディア・コンテンツを識別するためにＥＬＳ制御装置１１０において記録された情報は、前述の図４に表すような形式をとり得る。ＤＶＲセットトップボックス１４０のユーザ入力インタフェースを用いてユーザによってメディア・コンテンツ・セグメント及びＥＬＳが規定される前述の本発明の実施例では、ＥＬＳの規定セグメントの識別情報は、各セグメントが規定された（例えば、記録されたメディア・コンテンツの再生を一時停止させ、前述の識別情報の入力の機会がユーザに与えられた）後に追加することが可能であるか、又はあるいはユーザは、先行して記録されたメディア・コンテンツ及びＥＬＳにおいて規定されたメディア・セグメントの識別情報を、前述の通り、メディア・セグメント全てが識別された後に（すなわち、先行して記録されたメディア・コンテンツの再生が終了した後に）入力することができる。
【００１９】
本発明によれば、ユーザ・インタフェースが、編集操作リストを作成するために、編集されたＥＬＳからの所望のメディア・セグメントのユーザ選択を容易にするよう備えられる。例えば、図５は、図４の編集リスト・スクリプト（ＥＬＳ）のユーザ操作を行い、そういうものとして、編集操作リスト（編集再生リストなど）を作成するためのユーザ・インタフェースを表す図である。本発明の一実施例では、本発明の編集操作リストを作成するためのユーザ・インタフェースは、ＥＬＳにおけるメディア・コンテンツ・セグメントを識別するラベル情報に基づいて作成される。例えば、図５のユーザ・インタフェースは例証的に、図４のＥＬＳにおけるラベル情報から作成されるユーザ・グラフィカル・インタフェース・メニューを備える。ユーザ・グラフィカル・インタフェース・メニューは、例えば、図１のメディア・コンテンツ・ブロードキャスト・システム１００の出力装置１５０上に表示することが可能である。ユーザは、例えば、操作する対象のメディア・コンテンツ・セグメントの個々のラベルを選択（例えば、クリック、強調表示）することによって、操作する対象の、ＥＬＳにおけるメディア・コンテンツ・セグメントを選択する。あるいは、ユーザは、「全再生」機能を用いて、利用可能なメディア・コンテンツ・セグメント全てを再生することにしてもよい。しかし、本発明の別の実施例では、ユーザ・インタフェース（図５のユーザ・グラフィカル・インタフェース・メニューなど）が、ＤＶＲセットトップボックス１４０又はＥＬＳ制御装置１１０を介して備えられるディスプレイ上に表示される。やはり、本発明によって、ユーザ・グラフィカル・メニューを備えて、編集操作リスト（編集再生リストなど）の作成を容易にする。図５のユーザ・グラフィカル・インタフェース・メニューではユーザ・インタフェースはＥＬＳにおけるラベル情報に基づくが、本発明の別の実施例では、本発明のユーザ・インタフェースは、種々の分離可能なメディア・コンテンツ・セグメントを識別するための、ＥＬＳにおける実質的に何れの情報にも基づく。．
本発明のユーザ・インタフェース（図５のユーザ・グラフィカル・インタフェースなど）を介して、ユーザには、操作（例えば、再生、表示、再記録、編集等）したい、前述のように作成された、ＥＬＳのメディア・セグメントを選択する手段が備えられる。そういうものとして、ユーザは、ユーザが操作したいメディア・セグメントを識別する編集操作リスト（編集再生リストなど）を作成する。前述の通り、選択されたセグメントを互いに「スプライシングして」別々の再生シナリオを作成することが可能であるか、又は、選択されたセグメントを索引化して、選択されたセグメントの個々の再生の直接アクセスを容易にすることが可能である。選択されたメディア・セグメントは、特定のシリーズにおいて記録されるよう操作することも可能である。ユーザが操作したいメディア・セグメントを識別する編集操作リスト（編集再生リストなど）は、本発明の制御装置（図１のメディア・コンテンツ・ブロードキャスト・システム１００の制御装置１１０など）のメモリに記憶される。
【００２０】
本発明の別の実施例では、前述のＥＬＳをユーザが判定する代わりに、本発明のメディア・コンテンツ受信器（図１のメディア・コンテンツ・ブロードキャスト・システム１００のＤＶＲセットトップボックス１４０など）は、メディア・コンテンツ・ソースからのユーザ選択、及び元のメディア・コンテンツのメディア・セグメント情報を含む種々の編集リスト・スクリプト（ＥＬＳ）を受信する。例えば、ブロードキャスタは、強調表示の編集リストをそのブロードキャスト処理の一部として作成することができる。前述の編集リスト情報は、例えば、本発明のＥＬＳを作成し、そういうものとして、ユーザ操作及び選択に利用可能なメディア・コンテンツ・セグメントを識別するために本発明のＥＬＳ制御装置１１０によって用いることができる。同様に、コンテンツ所有者はこの情報を元のメディア・コンテンツとともに備えることができる。更に、前述のＥＬＳ情報、及びそういうものとしてメディア・セグメント情報は、本発明のＥＬＳ制御装置を備える、図１のメディア・コンテンツ・ブロードキャスト・システム１００のＤＶＲセットトップボックス１１０などの、本発明のメディア・コンテンツ受信器に提供される元のメディア・コンテンツにおけるメディア・セグメントを識別する加入サービスによって提供することができる。前述の情報は、ＥＬＳ制御装置のメモリに記憶され、操作（例えば、表示、再生、再記録等）のための所望であり、かつ利用可能なメディア・セグメントのユーザ選択を容易にし、そういうものとして、本発明による編集操作リストを作成するために前述のＥＬＳを判定するために本発明のＥＬＳ制御装置によって用いることが可能である。更に、特定の元のメディア・コンテンツに関連したＥＬＳ情報（メディア・セグメント）は、前述のメディア・コンテンツと同時に供給されなくてよい。本発明の別の実施例では、ＥＬＳ情報は、元のメディア・コンテンツとは別の時点において、かつ、ブロードキャスト経路（例えば、ブロードキャスト接続）とは完全に別の経路を介して供給される。
【００２１】
更に、本発明の種々の実施例は、メディア・コンテンツ受信器（図１のメディア・コンテンツ・ブロードキャスト・システム１００のＤＶＲセットトップボックス１４０など）内の記憶されたメディア・コンテンツへの、編集操作リスト（編集再生リストなど）の遠隔アプリケーションを更に含む。すなわち、本発明の種々の実施例では、局所ＥＬＳ制御装置上に常駐していなくてもよい編集操作リスト・コマンドは、遠隔場所から伝達される。例えば、本発明のメディア・コンテンツ受信器（図１のメディア・コンテンツ・ブロードキャスト・システム１００のＤＶＲセットトップボックス１４０など）は、編集操作リスト（編集再生リストなど）をメディア・コンテンツ・ソースから、元のメディア・コンテンツとともに受信する。例えば、ブロードキャスタは、少なくとも１つの編集操作リスト（編集再生リスト。そのブロードキャスト処理の一部としてのリスト）を含み得る。前述の編集操作リストは、本明細書及び特許請求の範囲記載の手段及び方法の何れかによってユーザにより編集操作リストによって識別されるメディア・セグメントの選択を容易にするために、例えば、本発明のＥＬＳ制御装置１１０によって用いることができる。逆に、局所ＥＬＳ制御装置上で判定される編集操作リスト（編集再生リストなど）を遠隔サーバ（ブロードキャスト・サーバなど）に通信して、図１のメディア・コンテンツ・ブロードキャスト・システム１００のＤＶＲセットトップボックス１４０の局所ＥＬＳ制御装置１１０などの遠隔場所に、編集操作リストによって識別されるメディア・セグメントのみをブロードキャスト・サーバに通信させることが可能である。
【００２２】
あるいは、メディア・コンテンツ・プロバイダ（加入サービス、コンテンツ所有者、ブロードキャスタ等）は、本発明のＥＬＳ制御装置（図１のＥＬＳ制御装置１１０など）に情報を入力するために加入者が用いることが可能な媒体上に加入者に向けて、特定のメディア・コンテンツにおいて利用可能なメディア・セグメントに関する編集操作リスト（編集再生リストなど）、及び／又はＥＬＳ情報を供給することが可能である。例えば、本発明の前述の実施例では、ＥＬＳ制御装置１１０に転送するために、編集操作リスト及び／又はＥＬＳ情報を、インターネットを介してダウンロードし、媒体（例えば、ＤＶＤ）上に複製することが可能であるように、編集操作リスト及び／ＥＬＳ情報が加入者に向けて、インターネット上でダウンロード可能な形式で供給される。本発明の前述の実施例では、本発明のＥＬＳ制御装置のメモリは、インターネットからダウンロードされ、媒体上に複製される特定のメディア・コンテンツにおける利用可能なメディア・セグメントに関する編集操作リスト及び／又はＥＬＳ情報を、媒体の外部プレイヤを用いてＥＬＳ制御装置のメモリに転送し、記憶することが可能であるように、媒体のプレイヤ（例えば、ＤＶＤプレイヤ）から情報を受信するよう更に適合させる。あるいは、本発明のメディア・コンテンツ受信器及び／又はＥＬＳ制御装置は、加入サービスやその他の手段によって提供される編集操作リスト及び／又はＥＬＳ情報をＥＬＳ制御装置のメモリにメディア・プレイヤを用いて転送し、記憶することが可能であるようにメディア・プレイヤを更に含み得る。いずれにせよ、特定のメディア・コンテンツは更に、前述の手段の何れかを用いてＥＬＳ制御装置において識別されなければならない。
【００２３】
すなわち、元のメディア・コンテンツは再び識別され、本発明のＥＬＳ制御装置を含むメディア・コンテンツ受信器（図１のメディア・コンテンツ・ブロードキャスト・システム１００のＤＶＲセットトップボックス１４０など）によって、先行して受信されたメディア・コンテンツが再び受信された場合に、受信されたメディア・コンテンツに関連した記憶されたＥＬＳリストを呼び出して、先行して受信されたメディア・コンテンツにおける先行して判定されたメディア・セグメントを識別することが可能であるように識別情報がＥＬＳ制御装置のメモリに記憶される。例えば、スポーツ・イベントがディジタル・レコーダによって記録されており、利用可能なメディア・セグメントを識別するＥＬＳが、スポーツ・イベントについて先行して判定されている場合、前述のスポーツ・イベントが再度再生された場合、先行して判定されたＥＬＳリストを呼び出して、記録されたメディア・コンテンツにおける利用可能なメディア・セグメントをもう一度識別することが可能である。同様に、操作（例えば、再生）する対象の利用可能なメディア・セグメントを識別する先行して記憶されたユーザ選択（編集操作リスト）を、例えば、ユーザ再生リストとして記憶し、識別することも可能である。
【００２４】
あるいは、記憶された関連ＥＬＳを有する先行して識別された元のメディアとともに新たなＥＬＳ情報が供給された場合、新たに受信されたＥＬＳ情報を、先行して記録されたＥＬＳの代わりに、又は先行して記録されたＥＬＳとともに用いることが可能であるか、又は完全に無視することが可能である。
【００２５】
本発明の種々の実施例では、メディア・コンテンツ受信器（図１のメディア・コンテンツ・ブロードキャスト・システム１００のＤＶＲセットトップボックス１４０など）は、単一又は複数のソースからの複数のメディア・コンテンツを受信し、記録するよう適合させる。前述の実施例では、本発明のＥＬＳ制御装置（図１のメディア・コンテンツ・ブロードキャスト・システム１００のＥＬＳ制御装置１００など）は、種々の元のメディア・コンテンツ及びコンテンツ・ソースの、ＥＬＳ情報を記憶し、そういうものとして、関連した利用可能なメディア・セグメントを記憶するよう適合させる。特に、本発明のメディア・コンテンツ・ブロードキャスト・システム（図１のメディア・コンテンツ・ブロードキャスト・システム１００など）では、ＥＬＳ制御装置は、受信されたメディア・コンテンツ毎のそれぞれのＥＬＳを前述のように作成し、記憶するよう適合させる。そういうものとして、ＥＬＳ制御装置は、ユーザが、前述の利用可能なユーザ・インタフェースを介して、操作（例えば、表示、再生）する対象の利用可能なメディア・セグメントの何れかを選択することを可能にする。選択されたメディア・セグメントは、実質的に如何なる順序で互いに「スプライシングして」別々の再生系列を作成することも可能であるか、又は、個々の再生セグメントのランダムなアクセスを容易にするよう索引化することが可能である。更に、種々の利用可能なメディア・セグメントを混ぜて一意のメディア再生系列を作成することができる。  すなわち、本発明の種々の実施例では、ユーザはユーザ・インタフェースを介して、それぞれのＥＬＳからメディア・セグメントを選択することによってメディア・セグメントのソースを選択することができる。前述の機能は、元のメディア・コンテンツのミックス又は置換（再生する対象の編集再生リストにおけるスポーツ・イベントのビデオと、ラジオ放送のオーディオのミックスなど）を容易にする。
【００２６】
本発明によれば、再生中の元のコンテンツの修正に対する制限を設ける元のメディア・コンテンツにおける制御情報も含めることが可能である。更に、メディア・コンテンツ・ソース（コンテンツ所有者、ブロードキャスタ、加入サービス、及びユーザ）は、最終的に判定された編集操作リストにおける元のコンテンツにおいて修正することが可能である時間マップ及び修正することが可能でない時間マップを備えることができる。すなわち、元のメディア・コンテンツは、メディア・セグメント（編集操作リスト）の最終ユーザ選択（コマーシャル、クレジット、著作権についての注意書き等）に現れなければならない索引化された入口点を含み得る。更に、制御情報は、エントリ・ラベルの広告／強調表示を含み得る。特に、元のメディア・コンテンツは、メディア・セグメントの特定部分（例えば、コマーシャル）をユーザ及び後続視聴者に視聴させようとして、例えば、色、グラフィックス、ビデオ・サムネール、ビデオ等によって、編集リスト・スクリプト、及び、後に、グラフィカル・ユーザ・インタフェース及び編集操作リストにおける特定のラベルを強調表示するための情報を含み得る。本発明の前述の実施例では、全てのラベル・エントリが等しい訳でない。
【００２７】
更に、例えば、本発明の制御装置のメモリに、追跡／報告データを提供するために所定の期間にわたる操作に選択されたメディア・コンテンツ・セグメント（すなわち、視聴された特定のコマーシャル・セグメント）に関して記憶することが可能である。前述の情報は、特定のメディア・コンテンツ・セグメントを視聴者が視聴していることを確実にするための全体的なビジネス戦略の一部として用いることが可能である。
【００２８】
前述の説明は本発明の種々の実施例に関するが、本発明のその他及び更なる実施例をその基本的な範囲から逸脱することなく考え出すことが可能である。そういうものとして、本発明の適切な範囲は、特許請求の範囲に応じて定めるものとする。
【図面の簡単な説明】
【００２９】
【図１】本発明の一実施例による、編集リスト・スクリプト（ＥＬＳ）制御装置を含むメディア・コンテンツ・ブロードキャスト・システムを表す概要レベルのブロック図である。
【図２】図１のメディア・コンテンツ・ブロードキャスト・システムにおいて用いるのに適したＥＬＳ制御装置の実施例を示す概要レベルのブロック図である。
【図３】本発明の一実施例による、編集リスト・スクリプト（ＥＬＳ）の概念を表す概要レベルのブロック図である。
【図４】本発明の一実施例による、単純な宣言ＥＬＳの例を表す図である。
【図５】編集操作リスト（ＥＭＬ）を判定するための図４の編集リスト・スクリプト（ＥＬＳ）のユーザ操作のためのユーザ・インタフェースを表す図である。
【図１】
2008537439.tif 000003
【図２】
2008537439.tif 000004
【図３】
2008537439.tif 000005
【図４】
2008537439.tif 000006
【図５】
2008537439.tif 000007
【国際調査報告】
2008537439.tif 000008
2008537439.tif 000009
2008537439.tif 000010